(57)【要約】【課題】    帯電防止に優れた履物を提供する。  【解決手段】    履物Ｆは、足の甲部を覆うアッパー１と、このアッパー１の裏面側に露出するように取り付けられると共に、前記足の甲部を跨ぐように導電性の糸でアッパー１の裏面に沿ったアーチ形状に形成される導電性アーチ形状部３と、この導電性アーチ形状部３は複数設けられ、間隔を有して略平行に形成されるものであり、導電性のソール２と、この導電性のソール２の上面の周囲を環状に取囲むと共に、上方に向かって突出する立ち上がり壁２２ａと、この立ち上がり壁２２ａとアッパー１とを縫い合わせて接合する接合用の導電性の糸６と、この接合用の導電性の糸６と導電性アーチ形状部３の導電性の糸とが接触しているものである。【選択図】図２
0003149127.tif 000002
【実用新案登録請求の範囲】
【請求項１】
足の甲部を覆うアッパーと、
このアッパーの裏面側に露出するように取り付けられると共に、前記足の甲部を跨ぐように導電性の糸で前記アッパーの裏面に沿ったアーチ形状に形成される導電性アーチ形状部と、
この導電性アーチ形状部は複数設けられ、間隔を有して略平行に形成されるものであり、
導電性のソールと、
この導電性のソールの上面の周囲を環状に取囲むと共に、上方に向かって突出する立ち上がり壁と、
この立ち上がり壁と前記アッパーとを縫い合わせて接合する接合用の導電性の糸と、
この接合用の導電性の糸と前記導電性アーチ形状部の導電性の糸とが接触している
ことを特徴とする履物。
【請求項２】
足の甲部を覆うアッパーと、
このアッパーの裏面側に露出するように取り付けられると共に、前記足の甲部を跨ぐように導電性の糸で前記アッパーの裏面に沿ったアーチ形状に形成される導電性アーチ形状部と、
この導電性アーチ形状部は複数設けられ、間隔を有して略平行に形成されるものであり、
導電性のソールと、
この導電性のソールの上面の周囲を環状に取囲むと共に、上方に向かって突出する立ち上がり壁と、
この立ち上がり壁を跨ると共に、前記立ち上がり壁の全体に亘って設けられた覆い部材と、
前記立ち上がり壁と前記アッパーとを前記覆い部材を介して縫い合わせて接合する接合用の導電性の糸と、
この接合用の導電性の糸と前記導電性アーチ形状部の導電性の糸とが接触している
ことを特徴とする履物。
【請求項３】
導電性のソールは、インソールと導電性のアウトソールとを有し、
前記インソールの内部を通り、前記インソールの表裏にそれぞれ露出するように縫い付けられたインソール用の導電性の糸と、
前記インソールの裏に露出した前記インソール用の導電性の糸の部位が前記導電性のアウトソールに接触している
ことを特徴とする請求項１又は請求項２記載の履物。
【請求項４】
インソールの裏に設けられた導電性部材と、
この導電性部材に前記インソールの裏に露出するインソール用の導電性の糸が接触している
ことを特徴とする請求項３記載の履物。
【考案の詳細な説明】
【技術分野】
【０００１】
本考案は、履物に係り、特に、帯電防止に優れた履物に関する。
【背景技術】
【０００２】
体に帯電した静電気を履物を介して床等に導くようにした履物がある（例えば、特許文献１参照）。
この履物は、甲皮裏材に導電性材料を使用し、導電性糸により外周ステッチを施して甲皮表材と甲皮裏材とを縫合し、一方甲皮表材と甲皮裏材と、中底とを導電性糸で貫通縫合し、射出成形により導電性材料から成る本底と接合一体化した静電気帯電防止靴である。
【０００３】
しかしながら、上述の「静電気帯電防止靴」にあっては、甲皮裏材に導電性材料を使用、つまり、甲皮の裏側全体に亘って導電性材料を使用するため、足の部位に接触しない部位まで導電性材料が使われ、無駄で、コスト高の要因になるという問題点があった。
【特許文献１】特開２００３−３１０３０１号公報
【考案の開示】
【考案が解決しようとする課題】
【０００４】
本考案は、上記問題点を除去するようにした履物を提供することを目的としている。
【課題を解決するための手段】
【０００５】
前記した目的を達成するための本考案の履物は、足の甲部を覆うアッパーと、このアッパーの裏面側に露出するように取り付けられると共に、前記足の甲部を跨ぐように導電性の糸で前記アッパーの裏面に沿ったアーチ形状に形成される導電性アーチ形状部と、この導電性アーチ形状部は複数設けられ、間隔を有して略平行に形成されるものであり、導電性のソールと、この導電性のソールの上面の周囲を環状に取囲むと共に、上方に向かって突出する立ち上がり壁と、この立ち上がり壁と前記アッパーとを縫い合わせて接合する接合用の導電性の糸と、この接合用の導電性の糸と前記導電性アーチ形状部の導電性の糸とが接触しているものである。
【０００６】
また、請求項２記載の履物は、足の甲部を覆うアッパーと、このアッパーの裏面側に露出するように取り付けられると共に、前記足の甲部を跨ぐように導電性の糸で前記アッパーの裏面に沿ったアーチ形状に形成される導電性アーチ形状部と、この導電性アーチ形状部は複数設けられ、間隔を有して略平行に形成されるものであり、導電性のソールと、この導電性のソールの上面の周囲を環状に取囲むと共に、上方に向かって突出する立ち上がり壁と、この立ち上がり壁を跨ると共に、前記立ち上がり壁の全体に亘って設けられた覆い部材と、前記立ち上がり壁と前記アッパーとを前記覆い部材を介して縫い合わせて接合する接合用の導電性の糸と、この接合用の導電性の糸と前記導電性アーチ形状部の導電性の糸とが接触しているものである。
【０００７】
また、請求項３記載の履物は、請求項１又は請求項２記載の履物において、導電性のソールは、インソールと導電性のアウトソールとを有し、前記インソールの内部を通り、前記インソールの表裏にそれぞれ露出するように縫い付けられたインソール用の導電性の糸と、前記インソールの裏に露出した前記インソール用の導電性の糸の部位が前記導電性のアウトソールに接触しているものである。
【０００８】
また、請求項４記載の履物は、請求項３記載の履物において、インソールの裏に設けられた導電性部材と、この導電性部材に前記インソールの裏に露出するインソール用の導電性の糸が接触しているものである。
【考案の効果】
【０００９】
請求項１記載の履物によれば、接合用の導電性の糸と導電性アーチ形状部の導電性の糸とが接触しているため、従来のように、甲皮の裏側全体に亘って導電性材料を使用しなくても、帯電した静電気を足の甲部、導電性アーチ形状部の導電性の糸、接合用の導電性の糸、導電性のソールを介して床等に効率良く導くことができる。
【００１０】
また、請求項２記載の履物によれば、接合用の導電性の糸と導電性アーチ形状部の導電性の糸とが接触しているため、従来のように、甲皮の裏側全体に亘って導電性材料を使用しなくても、帯電した静電気を足の甲部、導電性アーチ形状部の導電性の糸、接合用の導電性の糸、導電性のソールを介して床等に効率良く導くことができる。
【００１１】
また、請求項３記載の履物によれば、上述した請求項１又は請求項２記載の考案の効果に加え、インソールの内部を通り、前記インソールの表裏にそれぞれ露出するように縫い付けられたインソール用の導電性の糸という簡易な手段により、インソールに導電性の機能を付加することができる。
【００１２】
また、請求項４記載の履物によれば、上述した請求項１又は請求項２記載の考案の効果に加え、インソールの裏に設けられた導電性部材と、この導電性部材に前記インソールの裏に露出するインソール用の導電性の糸が接触しているため、導電性の部位が増加する分、より確実に、帯電した静電気をインソールの裏面から導電性のアウトソールへと導くことができる。
【考案を実施するための最良の形態】
【００１３】
本考案の一実施例の履物を図面を参照して説明する。   
図１乃至図９において、Ｆは履物で、履物Ｆは、足の甲部を覆うアッパー１と、導電性のソール２とから、概略的に構成されている。図１及び図２に記載の履物Ｆは、例えば、アッパー１とソール２を縫い付ける「サイドマッケイ」と称されるものである。
３は導電性アーチ形状部で、導電性アーチ形状部３は、アッパー１の裏面側に露出するように取り付けられると共に、足の甲部を跨ぐように導電性の糸（電気を通す導電性の糸）でアッパー１の裏面に沿ったアーチ形状に形成される。
この導電性アーチ形状部３は複数（本実施例では、５本  図３参照）設けられ、間隔を有して略平行に形成されるようになっている。
なお、本実施例では、部材３０に導電性の糸を縫い付け、部材３０をアッパー１の裏面に取り付けているが（図１乃至図３参照）、本願考案にあっては、これに限らず、例えば、部材３０を設けることなく、アッパー１の裏面に直接導電性の糸を縫い付けるようにしても良い。
【００１４】
導電性のソール２は、図３に示すように、インソール（中底）２１と導電性のアウトソール（本底）２２とを有している。
インソール（中底）２１は、インソール用の導電性の糸４により、導電性の機能を付加している。
インソール用の導電性の糸４は、図４乃至図６に示すように、インソール２１の内部を通り、インソール２１の表裏にそれぞれ露出するように縫い付けている。
そして、インソール２１の裏に露出したインソール用の導電性の糸４の部位が導電性のアウトソール２２に接触している。導電性のアウトソール（本底）２２は、例えば、カーボン入りポリウレタン、導電性ゴム等で形成することができる。
２２ａは、図３に示すように、導電性のソール２２の上面の周囲を環状に取囲むと共に、上方に向かって突出する立ち上がり壁である。
また、図２及び図３に示す５は、立ち上がり壁２２ａを跨ると共に、立ち上がり壁２２ａの全体に亘って設けられた覆い部材である。
また、図２に示す６は、立ち上がり壁２２ａとアッパー１とを覆い部材５を介して縫い合わせて接合する接合用の導電性の糸（電気を通す導電性の糸）である。
そして、図２及び図９に示すように、接合用の導電性の糸６と導電性アーチ形状部３の導電性の糸とが接触するようになっている。
【００１５】
上述した実施例の履物Ｆによれば、接合用の導電性の糸６と導電性アーチ形状部３の導電性の糸とが接触（図２及び図９参照）しているため、従来のように、甲皮の裏側全体に亘って導電性材料を使用しなくても、帯電した静電気を足の甲部、導電性アーチ形状部３の導電性の糸、接合用の導電性の糸６、導電性のソール２２を介して床等に効率良く導くことができる。
【００１６】
なお、図５に示す６’は、インソール２１の裏に設けられた導電性部材で、この導電性部材６’にインソール２１の裏に露出するインソール用の導電性の糸４が接触するようにしている。
そのため、導電性の部位が増加する分、より確実に、帯電した静電気をインソール２１の裏面から導電性のアウトソール２２へと導くことができる。導電性部材６’は、図５に示す、例えば、カーボン塗料を塗布して形成しても良いし、図１０乃至図１２に示す導電シート６’で形成しても良い。図１０乃至図１２に示す４は、図４乃至図６に示すインソール用の導電性の糸４と同様のものである。
【００１７】
また、上述した実施例においては、導電性のソール２をインソール（中底）２１と導電性のアウトソール（本底）２２とで構成したが、本願考案にあってはこれに限らず、図１３乃至図１５に示すように、インソール（中底）２１を省略しても、同様に適用することができる。
図１５においては、履物Ｆの裏面側に露出した接合用の導電性の糸６に足が接触するため、足等に帯電した静電気を、接合用の導電性の糸６、導電性のソール２２を介して床等に効率良く導くことができる。
また、上述した実施例においては、立ち上がり壁２２ａとアッパー１とを覆い部材５を介して接合用の導電性の糸６で縫い合わせて接合するようにしたが、図示しないが、覆い部材５を省略し、立ち上がり壁２２ａとアッパー１とを接合用の導電性の糸６で縫い合わせて接合するようにしても、本願考案と同様の効果を有する。
【図面の簡単な説明】
【００１８】
【図１】図１は、本考案の一実施例の履物の概略的斜視図である。
【図２】図２は、図１のＡ−Ａ線による概略的断面図である。
【図３】図３は、図１の履物を分解して示す概略的分解斜視図である。
【図４】図４は、図３のインソールの概略的斜視図である。
【図５】図５は、図４のインソールの矢印Ｂ方向から見たインソールの概略的底面図である。
【図６】図６は、図４のＣ−Ｃ線による概略的断面図である。
【図７】図７は、図３の導電性アーチ形状部の概略的斜視図である。
【図８】図８は、図７のＤ−Ｄ線による概略的断面図である。
【図９】図９は、図７の導電性アーチ形状部のアッパーへの取り付け状態を示す概略的断面図である。
【図１０】図１０は、図５のインソールと異なる他の実施例のインソールの概略的斜視図である。
【図１１】図１１は、図１０のインソールの矢印Ｄ’方向から見たインソールの概略的底面図である。
【図１２】図１２は、図１０のＥ−Ｅ線による概略的断面図である。
【図１３】図１３は、図１の履物と異なる他の実施例の履物を分解して示す概略的分解斜視図である。
【図１４】図１４は、図１３の履物の完成品に足を装着する前の概略的断面図である。
【図１５】図１５は、図１３の履物の完成品に足を装着した状態の概略的断面図である。
【符号の説明】
【００１９】
Ｆ     …履物
１     …アッパー
２     …導電性のソール
３     …導電性アーチ形状部
６     …接合用の導電性の糸
２２ａ …立ち上がり壁
【図１】
0003149127.tif 000003
【図２】
0003149127.tif 000004
【図３】
0003149127.tif 000005
【図４】
0003149127.tif 000006
【図５】
0003149127.tif 000007
【図６】
0003149127.tif 000008
【図７】
0003149127.tif 000009
【図８】
0003149127.tif 000010
【図９】
0003149127.tif 000011
【図１０】
0003149127.tif 000012
【図１１】
0003149127.tif 000013
【図１２】
0003149127.tif 000014
【図１３】
0003149127.tif 000015
【図１４】
0003149127.tif 000016
【図１５】
0003149127.tif 000017